(57)【要約】  監視対象エリア内に位置する物体の検知、およびその属性の検知が精度よく行え、且つ、システムの構築にかかるコストの増加が抑えられる分散画像処理システムを提供する。  エリア端末（１）は、ビデオカメラ（２）が撮像した画像を処理し、撮像されている物体の有無を検知する。エリア端末（１）は、監視対象エリア内に位置する物体を検知すると、ディジタルスチルカメラ（３）の撮像視野を検知した物体に合わせ、このディジタルスチルカメラ（３）にレリーズ信号を入力する。エリア端末（１）は、ディジタルスチルカメラ（３）が撮像した静止画像を、ネットワーク（５）を介してサーバ（４）に送信する。サーバ（４）は、エリア端末（１）から送信されてきた静止画像を処理し、撮像されている物体の種類や、大きさ等の属性を検知する。サーバ（４）は、監視対象エリア内に位置する物体に対する検知結果に応じた出力を行う。
2012169232.tif 000002
【特許請求の範囲】
【請求項１】
通信可能に接続した端末と、サーバと、を備え、
前記端末は、
第１のカメラが撮像した監視対象エリアの動画像を入力する動画像入力部と、
前記動画像入力部に入力された動画像を処理し、撮像されている物体を検知する簡易画像処理部と、
前記簡易画像処理部が物体を検知したときに、検知した物体が撮像されている撮像画像を静止画像で前記サーバに送信する静止画像送信部と、を有し、
前記サーバは、
前記端末から送信されてきた静止画像を処理し、この静止画像に撮像されている物体の属性を検知する画像処理部と、
前記画像処理部の処理結果に基づく出力を行う出力部と、を有する
分散画像処理システム。
【請求項２】
前記端末は、
静止画像を撮像する第２のカメラの撮像視野を制御する撮像視野制御部を有し、
前記簡易画像処理部が、撮像されている物体の検知とともに、前記監視対象エリア内における検知した物体の位置を検知し、
前記撮像視野制御部が、前記第２のカメラの撮像視野を、前記簡易画像処理部により検知された前記監視対象エリア内における物体の位置に基づいて制御し、
前記静止画像送信部が、前記第２のカメラが撮像した静止画像を前記サーバに送信する、
請求項１に記載の分散画像処理システム。
【請求項３】
前記端末は、
前記簡易画像処理部が、撮像されている物体の検知とともに、検知した物体が移動体であるかどうかを検知し、
前記静止画像送信部が、静止画像とともに、検知した物体が移動体であるかどうかを前記サーバに送信する、
請求項１、または２に記載の分散画像処理システム。
【請求項４】
前記端末は、
前記簡易画像処理部が、撮像されている物体の検知を、前記動画像入力部に入力された動画像のフレーム画像と、前記監視対象エリアの背景画像と、の差分画像を生成して行う、
請求項１〜３のいずれかに記載の分散画像処理システム。
【請求項５】
前記サーバは、
前記画像処理部が、パターンマッチングにより、静止画像に撮像されている物体の種類を検知する、
請求項１〜４のいずれかに記載の分散画像処理システム。
【発明の詳細な説明】
【技術分野】
【０００１】
この発明は、監視対象エリア内に位置する物体の検知、および検知した物体の種類や大きさ等の属性の検知にかかる画像処理を、端末とサーバとで分散して行う分散画像処理システムに関する。
【背景技術】
【０００２】
従来、学校や工場等の様々な場所で、不審者や、不審物（放置物）に対する監視を行うために、ビデオカメラ（監視カメラ）を設置している。例えば、ビデオカメラは、不審者や不審物等に対する安心、安全のために、その撮像エリアを学校や工場等の施設の出入口等に合わせて設置している。また、監視カメラの撮像画像を処理し、不審者や、不審物の検知を行うことや、ビデオカメラで撮像した撮像画像（動画像）を記録（録画）することを行っている。【０００３】
また、ビデオカメラで撮像している撮像エリア内を移動している移動体の検知にかかる処理負荷を低減するとともに、この移動体の検知精度の低下を抑える構成が特許文献１、２に記載されている。この特許文献１、および２は、ビデオカメラの撮像エリアに設定した検知ポイントの明るさの変化から、その検知ポイントにおける人、車両等の移動体の通過を検知する。また、特許文献１、および２は、検知ポイントにおける移動体の通過を検知すると、ディジタルスチルカメラで撮像エリアを撮像し、その静止画像とビデオカメラの動画像を一定時間だけ記憶することで、動画像の記憶容量を抑えている。さらに、特許文献２は、ディジタルスチルカメラで撮像した静止画像を添付した電子メールを、警備員等が所持する携帯電話等の携帯端末に送信することで、検知した移動体に対する対応の迅速化を図っている。
【先行技術文献】
【特許文献】
【０００４】
【特許文献１】特開２００９−  ３８７７９号公報
【特許文献２】特開２０１０−１７７８９３号公報
【発明の概要】
【発明が解決しようとする課題】
【０００５】
しかしながら、特許文献１、２は、移動体（不審者等）を検知することはできるが、その移動体の種別（人、車等）や大きさ等の属性を検知するものではなかった。また、特許文献１、２は、非移動体である不審物の検知や、さらには、その不審物の種類や大きさ等の属性を検知するものでもなかった。【０００６】
なお、最近では、テロ行為等に対する安心、安全の確保が重要視されていることから、放置された不審物の発見や、その不審物に対する対応の迅速化も要望されている。【０００７】
ビデオカメラで撮像された物体の種類や大きさ等の属性を検知することは、公知のパターンマッチング等の画像処理で行えるが、物体の属性の検知精度を高めるために画像処理を比較的複雑にする必要がある。その結果、画像処理を行う装置側の負荷が増大する。すなわち、画像処理を行う装置は、処理性能がある程度高いものを使用しなければならない。一方で、比較的広い施設では、不審者や、不審物を監視する監視対象エリアを複数箇所設定し、監視対象エリア毎にビデオカメラを設置している。ビデオカメラ毎（監視対象エリア毎）に、そのビデオカメラが撮像した画像を画像処理するのに適した処理性能の端末を使用することは、システムの構築にかかるコストを増大させる。【０００８】
この発明の目的は、監視対象エリア内に位置する物体の検知、およびその属性の検知が精度よく行え、且つ、システムの構築にかかるコストの増加が抑えられる分散画像処理システムを提供することにある。
【課題を解決するための手段】
【０００９】
この発明の分散画像処理システムは、上記課題を解決し、その目的を達するために、以下のように構成している。【００１０】
この分散画像処理システムは、通信可能に接続した端末と、サーバと、を備えている。サーバに通信可能に接続されている端末は、１台であってもよいし、複数台であってもよい。【００１１】
端末には、第１のカメラが接続されている。この第１のカメラは、撮像した監視対象エリアの動画像を端末の動画像入力部に入力する。端末は、簡易画像処理部において、動画像入力部に入力された動画像を処理し、撮像されている物体を検知する。この簡易画像処理部は、撮像されている物体の有無を検知するだけで、その物体の種類や大きさ等の属性まで検知する必要はない。簡易画像処理部は、例えば、動画像入力部に入力された動画像のフレーム画像と、監視対象エリアの背景画像と、の差分画像を生成し、この差分画像によって物体の有無を検知する。すなわち、簡易画像処理部は、処理負荷が小さい画像処理を実行する。簡易画像処理部が物体を検知したときには、静止画像送信部が検知した物体が撮像されている静止画像をサーバに送信する。【００１２】
サーバは、画像処理部で、端末から送信されてきた静止画像を処理し、この静止画像に撮像されている物体の属性を検知する。この画像処理部は、パターンマッチング等により、静止画像に撮像されている物体の種類を検知するとともに、検知した物体の種類に応じた認識処理等も行う。例えば、検知した物体が、不審者であれば、顔認識により、その不審者の性別、年齢等の属性の検知を行う。また、車両であれば、その車両のナンバープレートに表記されているナンバープレート番号を認識する文字認識を行う。さらに、サーバは、出力部において、画像処理部の処理結果に基づく出力を行う。例えば、警備室の警報を作動させて処理結果を待機している警備員等に通知したり、警備員等が所持している携帯端末に処理結果を電子メールで送信したりする。これにより、検知された不審者や不審物に対する対応が迅速に行える。【００１３】
このように、端末は、第１のカメラが撮像した撮像画像に物体が撮像されているかどうか（物体の有無）が検知できればよく、撮像されている物体の種類や大きさ等の属性まで検知できなくてもよいので、物体の検知にかかる画像処理の処理負荷を十分に小さくできる。また、端末は、物体を検知したときに、物体が撮像されている撮像画像をサーバに送信し、物体を検知していないときに、撮像画像をサーバに送信しない。しかも、端末は、サーバに対して動画像を送信するのではなく、静止画像を送信する。このため、端末は、サーバに送信する画像のデータ量も抑えられるので、サーバとの通信にかかる負荷が抑えられる。また、端末と、サーバとを通信可能に接続するネットワークのトラフィック量も抑えられる。【００１４】
したがって、端末は、処理性能が低い安価なものであっても問題なく使用できる。また、監視対象エリア内に位置する物体の検知、およびその属性の検知については、サーバ側で精度よく行える。すなわち、監視対象エリア内に位置する物体の検知、およびその属性の検知が精度よく行え、且つ、システムの構築にかかるコストの増加が抑えられる。【００１５】
また、端末は、静止画像を撮像する第２のカメラの撮像視野を制御する撮像視野制御部を有する構成としてもよい。ここで言う撮像視野は、撮像方向や撮像倍率等である。例えば、第２のカメラを直交する２軸方向（パン方向と、チルト方向）に個別に回動する雲台に取り付けておき、撮像視野制御部を、この雲台のパン方向、およびチルト方向の回動角を個別に制御し、第２のカメラの撮像方向を制御する構成にすればよい。また、第２のカメラがズーム機能を備え、撮像視野制御部が第２のカメラの撮像倍率を制御する構成にすればよい。【００１６】
この場合、簡易画像処理部が、撮像されている物体の検知とともに、監視対象エリア内における検知した物体の位置を検知し、撮像視野制御部が、第２のカメラの撮像視野（撮像方向や撮像倍率等）を、簡易画像処理部により検知された監視対象エリア内における物体の位置に基づいて制御すればよい。これにより、第２のカメラで、検知した物体を鮮明に撮像することができる。静止画像送信部は、第２のカメラが撮像した静止画像をサーバに送信する。このようにすれば、サーバにおける物体の属性検知が一層精度よく行えるようになる。【００１７】
さらに、端末の簡易画像処理部が、撮像されている物体の検知とともに、検知した物体が移動体であるかどうかを検知し、静止画像送信部が、静止画像とともに、検知した物体が移動体であるかどうかをサーバに送信するようにしてもよい。
【発明の効果】
【００１８】
この発明によれば、監視対象エリア内に位置する物体の検知、およびその属性の検知が精度よく行え、且つ、システムの構築にかかるコストの増加が抑えられる。
【図面の簡単な説明】
【００１９】
【図１】分散画像処理システムの構成を示す概略図である。
【図２】エリア端末の主要部の構成を示すブロック図である。
【図３】サーバの主要部の構成を示すブロック図である。
【図４】ビデオカメラの撮像エリアと、ディジタルスチルカメラの撮像エリアとの関係を示す図である。
【図５】エリア端末の動作を示すフローチャートである。
【図６】サーバの動作を示すフローチャートである。
【発明を実施するための形態】
【００２０】
以下、この発明の実施形態である分散画像処理システムについて説明する。
【００２１】
図１は、この分散画像処理システムの構成を示す概略図である。この分散画像処理システムは、不審者や、放置物（不審物）に対する監視を行う監視対象エリア毎に、エリア端末１と、ビデオカメラ２と、ディジタルスチルカメラ３と、を設置している。また、センタにサーバ４を設置している。各監視対象エリアに設置しているエリア端末１は、ネットワーク５を介してサーバ４と通信可能に接続している。
【００２２】
ビデオカメラ２、およびディジタルスチルカメラ３は、撮像画像をエリア端末１に入力する。ビデオカメラ２は、撮像エリアが監視対象エリア全体をカバーするように設置している。言い換えれば、ビデオカメラ２の撮像エリアが監視対象エリアである。ビデオカメラ２は、監視対象エリアを撮像した動画像（例えば、１秒間に３０フレームの撮像画像）をエリア端末１に入力する。
【００２３】
ディジタルスチルカメラ３は、直交する２軸方向（パン方向と、チルト方向）に個別に回動する雲台（不図示）に取り付けている。また、ディジタルスチルカメラ３は、撮像光学系を駆動し、撮像倍率を変化させるズーム機能を有する。ディジタルスチルカメラ３は、レリーズ信号の入力に応じて静止画像を撮像する。
【００２４】
ビデオカメラ２が、この発明で言う第１のカメラに相当し、ディジタルスチルカメラ３がこの発明で言う第２のカメラに相当する。
【００２５】
エリア端末１は、ビデオカメラ２が撮像した画像（動画像）を処理し、撮像されている物体の有無、すなわち監視対象エリア内に位置する物体の有無、を検知する。また、エリア端末１は、監視対象エリア内に位置する物体を検知すると、ディジタルスチルカメラ３の撮像視野を検知した物体に合わせ、このディジタルスチルカメラ３にレリーズ信号を入力する。エリア端末１は、ディジタルスチルカメラ３が撮像した画像（静止画像）を、ネットワーク５を介してサーバ４に送信する。
【００２６】
サーバ４は、エリア端末１から送信されてきた静止画像を処理し、撮像されている物体（すなわち監視対象エリア内に位置する物体）の種類や、大きさ等の属性を検知する。サーバ４は、監視対象エリア内に位置する物体（エリア端末１が検知した物体）についての検知結果に応じた出力を行う。
【００２７】
図２は、エリア端末の主要部の構成を示すブロック図である。エリア端末１は、制御部１１と、動画像入力部１２と、画像処理部１３と、撮像視野制御部１４と、撮像指示部１５と、静止画像入力部１６と、画像記憶部１７と、通信部１８とを有している。制御部１１は、エリア端末１本体各部の動作を制御する。
【００２８】
動画像入力部１２には、ビデオカメラ２が撮像している監視対象エリアの動画像が入力される。ビデオカメラ２は、１秒間に３０フレームの撮像画像を動画像入力部１２に入力する。
【００２９】
画像処理部１３は、動画像入力部１２に入力されたフレーム画像毎に、そのフレーム画像と、監視対象エリアの背景画像と、の差分画像を生成し、生成した差分画像によって監視対象エリア内に位置する物体（不審者や不審物）が撮像されているかどうかを検知する。公知のように、上記差分画像には、監視対象エリア内に位置する不審者や不審物等の物体があらわれる。
【００３０】
撮像視野制御部１４は、ディジタルスチルカメラ３の撮像視野を制御する。具体的には、撮像視野制御部１４は、ディジタルスチルカメラ３を取り付けている雲台のパン方向、およびチルト方向の回動角を個別に制御する。雲台をパン方向、およびチルト方向に回動させる駆動機構（不図示）は、この雲台に設けている。すなわち、撮像視野制御部１４は、雲台の駆動機構を制御して、パン方向、およびチルト方向の回動角を制御する。雲台のパン方向、およびチルト方向の回動角を変化させることで、ディジタルスチルカメラ３の撮像方向が変化する。また、撮像視野制御部１４は、ディジタルスチルカメラ３に対して、撮像倍率を指示する。
【００３１】
撮像指示部１５は、ディジタルスチルカメラ３に対してレリーズ信号を入力する。
【００３２】
静止画像入力部１６は、ディジタルスチルカメラ３が撮像した静止画像が入力される。
【００３３】
画像記憶部１７は、ビデオカメラ２が撮像した監視対象エリアの動画像、すなわち動画像入力部１２に入力された動画像、を記憶するハードディスク等の記録媒体を有する。
【００３４】
通信部１８は、ネットワーク５を介したサーバ４との通信を制御する。
【００３５】
図３は、サーバの主要部の構成を示すブロック図である。サーバ４は、制御部４１と、通信部４２と、画像処理部４３と、画像記憶部４４と、出力部４５と、を有している。制御部４１は、サーバ４本体各部の動作を制御する。
【００３６】
通信部４２は、ネットワーク５を介したエリア端末１との通信を制御する。
【００３７】
画像処理部４３は、エリア端末１から送信されてきた静止画像を処理し、撮像されている物体の種類や大きさ等の属性を検知する。画像処理部４３は、公知のパターンマッチング等にかかる画像処理を行って、撮像されている物体の種類や大きさ等の属性を検知する。また、検知した物体が人であれば、顔認識処理を行い、性別、年齢等を推定する。また、検知した物体が車両であれば、ナンバープレートに表記されているナンバープレート番号を認識する文字認識処理を行う。
【００３８】
画像記憶部４４は、エリア端末１から送信されてきた静止画像を記憶する。
【００３９】
出力部４５は、画像処理部４３における画像処理の結果に基づく出力を行う。例えば、不審者や、不審物を検知したときに、検知した不審者や、不審物の種類や大きさ等を処理結果とし、警備室の警報を作動させて、待機している警備員等に通知することや、警備員等が所持している携帯端末に処理結果を電子メールで送信することを行う。
【００４０】
次に、図４を参照しながら、ビデオカメラ２の撮像エリアと、ディジタルスチルカメラ３の撮像エリアとの関係について説明する。ビデオカメラ２の撮像エリアは、上述したように、接続されているエリア端末１に割り当てられている監視対象エリアに相当する。ビデオカメラ２の撮像エリアは、固定されている。一方、ディジタルスチルカメラ３の撮像エリアは、撮像倍率によって、その大きさを変化させることができるとともに、取り付けている雲台のパン方向、およびチルト方向の回動角を変化させることで、監視対象エリアの任意の位置に合わせることができる。
【００４１】
なお、ディジタルスチルカメラ３が、図４に示す２箇所の撮像エリアを同時に撮像できるわけではない。
【００４２】
次に、図５、および図６を参照しながら、この分散画像処理システムの動作について説明する。図５は、エリア端末の動作を示すフローチャートである。図６は、サーバの動作を示すフローチャートである。
【００４３】
エリア端末１は、ビデオカメラ２から撮像画像（フレーム画像）が動画像入力部１２に入力されると（Ｓ１）、画像処理部１３において、そのフレーム画像と、監視対象エリアの背景画像との差分画像を生成する（Ｓ２）。画像処理部１３は、Ｓ２で生成した差分画像により、監視対象エリア内に位置する物体（不審者や、不審物）の有無を検知する（Ｓ３）。エリア端末１は、Ｓ３で監視対象エリア内に位置する物体が無いことを検知すると、Ｓ１に戻る。
【００４４】
なお、ここでは、Ｓ１〜Ｓ３にかかる処理を、ビデオカメラ２が撮像したフレーム画像毎に行う構成としているが、例えば、５フレーム毎や、１０フレーム毎に行うようにしてもよい。
【００４５】
エリア端末１は、Ｓ３で監視対象エリア内に位置する物体を検知すると、この物体の位置（監視対象エリア内の位置）、および大きさを検知する（Ｓ４）。監視対象エリア内における物体の位置は、その物体のフレーム画像上の位置から検知できる。また、物体の大きさは、その物体のフレーム画像上の大きさから検知できる。
【００４６】
撮像視野制御部１４が、Ｓ４で検知した物体の位置、および大きさに基づいて、ディジタルスチルカメラ３を取り付けている雲台のパン方向、およびチルト方向の回動角を算出するとともに、ディジタルスチルカメラ３の撮像倍率を算出する（Ｓ５）。Ｓ５では、ディジタルスチルカメラ３の撮像視野内に、Ｓ３で検知した物体全体が収まるように、パン方向、およびチルト方向の回動角、およびディジタルスチルカメラ３の撮像倍率を算出する。
【００４７】
ディジタルスチルカメラ３は、監視対象エリア全体を撮像するのではなく、検知した物体を撮像すればよいので、その撮像倍率をビデオカメラ２の撮像倍率よりも大きくできる。したがって、ディジタルスチルカメラ３の撮像画像は、ビデオカメラ２の撮像画像よりも、検知した物体が鮮明に撮像される。
【００４８】
撮像視野制御部１４は、Ｓ５で算出した雲台のパン方向、およびチルト方向の回動角を、ディジタルスチルカメラ３を取り付けている雲台に指示するとともに、撮像倍率をディジタルスチルカメラ３に指示する（Ｓ６）。これにより、雲台がパン方向、およびチルト方向に回動し、ディジタルスチルカメラ３の撮像方向を変化させる。また、ディジタルスチルカメラ３は、撮像倍率を、今回指示された倍率に変更する。
【００４９】
エリア端末１は、撮像指示部１５がディジタルスチルカメラ３に対してレリーズ信号を入力する（Ｓ７）。これにより、ディジタルスチルカメラ３が、この時点における撮像視野での撮像を行い、撮像した静止画像を静止画像入力部１６に入力する。上述したように、エリア端末１は、今回検知した物体の位置や大きさに合わせてディジタルスチルカメラ３の撮像視野を合わせているので、ビデオカメラ２が撮像したフレーム画像よりも、検知した物体を鮮明に撮像した静止画像を得ることができる。
【００５０】
エリア端末１は、ディジタルスチルカメラ３が撮像した静止画像が入力されると（Ｓ８）、この静止画像をサーバ４に送信する（Ｓ９）。このとき、エリア端末１は、Ｓ４で検知した物体の位置、およびＳ５で算出したディジタルスチルカメラ３の撮像倍率についても、サーバ４に送信している。
【００５１】
また、エリア端末１は、動画像入力部１２に入力されているビデオカメラ２が撮像した監視対象エリアの動画像を常に画像記憶部１７に記憶してもよいが、画像記憶部１７の記憶容量を抑えるために、Ｓ３で物体を検知したタイミングを開始タイミングとし、その後一定時間だけ、動画像入力部１２に入力されているビデオカメラ２が撮像した監視対象エリアの動画像を記憶するようにしてもよい。
【００５２】
上記の説明から明らかなように、エリア端末１は、物体の検知にかかる画像処理部１３での画像処理の処理負荷や、サーバ４への画像の送信にかかる処理負荷が十分に抑えられる。
【００５３】
次に、図６を参照しながら、サーバ４の動作について説明する。
【００５４】
サーバ４は、ネットワーク５を介して接続されているいずれかのエリア端末１から送信されてきた静止画像を通信部４２で受信すると（Ｓ１１）、今回受信した静止画像を画像処理部４３で処理する（Ｓ１２）。Ｓ１２では、上述したエリア端末１の画像処理部１３と異なり、パターンマッチングにかかる画像処理を行い、今回受信した静止画像に撮像されている物体の種類や大きさ等の属性を検知する。具体的には、サーバ４は、画像処理部４３において、撮像されている物体が、移動体である人や車等であるか、非移動体であるカバンやスーツケース等であるかをパターンマッチングにより検知する。また、サーバ４は、検知した物体が人であれば、画像処理部４３で顔認識処理を行い、性別、年齢等を推定する。また、サーバ４は、検知した物体が車両であれば、画像処理部４３でその車両のナンバープレートに表記されているナンバープレート番号を認識する文字認識処理を行う。
【００５５】
なお、サーバ４は、ディジタルスチルカメラ３が通信部４２で受信した静止画像を撮像したときの撮像倍率をエリア端末１から受信しているので、この静止画像上における物体の大きさから、この物体の実際の大きさを算出できる。
【００５６】
パターンマッチング、顔認識処理、文字認識処理等については、公知であるので、ここでは詳細な説明を省略する。
【００５７】
サーバ４は、出力部４５において、Ｓ１２における検知結果に応じた出力を行う（Ｓ１３）。例えば、今回検知した不審者や、不審物の種類や大きさ等を処理結果とし、警備室の警報を作動させて、待機している警備員等に通知することや、警備員等が所持している携帯端末に処理結果を電子メールで送信することを行う。
【００５８】
また、サーバ４は、ネットワーク５を介して接続されているエリア端末１から送信されてきた静止画像を画像記憶部４４に記憶する。
【００５９】
上述したように、エリア端末１は、物体の検知にかかる画像処理部１３での画像処理の処理負荷や、サーバ４への画像の送信にかかる処理負荷が十分に抑えられる。
【００６０】
また、エリア端末１が検知した物体の属性についてはサーバ４側で検知する。サーバ４は、物体の有無にかかる検知については行わない。また、サーバ４が物体の属性を検知するのに用いる静止画像は、ディジタルスチルカメラ３で検知した物体を鮮明に撮像した画像である。このため、サーバ４は、監視対象エリア内に位置する物体の属性を精度よく検知することができる。また、エリア端末１は、検知した物体が撮像されている静止画像をサーバ４に送信し、ビデオカメラ２で撮像した動画像についてはサーバ４に送信しないので、ネットワーク５のトラフィック量も抑えることができる。
【００６１】
したがって、この分散画像処理システムでは、エリア端末１は、処理性能が低い安価なものであっても問題なく使用できる。また、監視対象エリア内に位置する物体の検知、およびその属性の検知については、サーバ４側で精度よく行える。これにより、監視対象エリア内に位置する物体の検知、およびその属性の検知が精度よく行え、且つ、システムの構築にかかるコストの増加が抑えられる。
【００６２】
また、上述したディジタルスチルカメラ３と、雲台と、エリア端末１の撮像視野制御部１４、撮像指示部１５、および静止画像入力部１６をなくし、エリア端末１が検知した物体が撮像されているビデオカメラ２のフレーム画像を静止画像として、サーバ４に送信するように構成してもよい。このようにすれば、エリア端末１の処理負荷を一層低減することができる。
【００６３】
また、エリア端末１は、検知した物体が撮像されているビデオカメラ２のフレーム画像と、ディジタルスチルカメラ３が、この検知した物体を撮像した静止画像と、をサーバ４に送信する構成としてもよい。
【００６４】
さらに、エリア端末１が、検知した物体が移動体であるか、非移動体であるかについても検知し、サーバ４に通知する構成としてもよい。エリア端末１は、検知した物体の位置が時間経過にともなって変化しているかどうかにより、この物体が移動体であるか、非移動体であるか検知できる。このようにすれば、サーバ４は、静止画像に撮像されている物体に対するパターンマッチングが、エリア端末１から通知された移動体、または非移動体に絞って行える。すなわち、サーバ４側の画像処理にかかる負荷も低減できる。
【符号の説明】
【００６５】
１…エリア端末
２…ビデオカメラ
３…ディジタルスチルカメラ
４…サーバ
５…ネットワーク
１１…制御部
１２…動画像入力部
１３…画像処理部
１４…撮像視野制御部
１５…撮像指示部
１６…静止画像入力部
１７…画像記憶部
１８…通信部
４１…制御部
４２…通信部
４３…画像処理部
４４…画像記憶部
４５…出力部
【図１】
2012169232.tif 000003
【図２】
2012169232.tif 000004
【図３】
2012169232.tif 000005
【図５】
2012169232.tif 000006
【図６】
2012169232.tif 000007
【図４】
2012169232.tif 000008
【手続補正書】
【提出日】平成25年12月3日(2013.12.3)
【手続補正１】
【補正対象書類名】明細書
【補正対象項目名】００１１
【補正方法】変更
【補正の内容】
【００１１】
端末には、第１のカメラが接続されている。この第１のカメラは、撮像した監視対象エリアの動画像を端末の動画像入力部に入力する。端末は、簡易画像処理部において、動画像入力部に入力された動画像を処理し、撮像されている物体、および監視対象エリア内におけるこの物体の位置を検知する。この簡易画像処理部は、撮像されている物体の有無を検知するだけで、その物体の種類や大きさ等の属性まで検知する必要はない。簡易画像処理部は、例えば、動画像入力部に入力された動画像のフレーム画像と、監視対象エリアの背景画像と、の差分画像を生成し、この差分画像によって物体の有無を検知する。すなわち、簡易画像処理部は、処理負荷が小さい画像処理を実行する。
また、端末には、第２のカメラが接続されている。この第２のカメラは、監視対象エリア内の一部を撮像した静止画像を端末の静止画像入力部に入力する。簡易画像処理部が物体を検知したときには、撮像視野制御部がこの検知された物体の位置に基づいて、第２のカメラの撮像視野を制御する。ここで言う撮像視野は、撮像方向や撮像倍率等である。例えば、第２のカメラを直交する２軸方向（パン方向と、チルト方向）に個別に回動する雲台に取り付けておき、撮像視野制御部が雲台のパン方向、およびチルト方向の回動角を個別に制御し、第２のカメラの撮像方向を制御する。また、第２のカメラがズーム機能を備え、撮像視野制御部が第２のカメラの撮像倍率を制御する。これにより、第２のカメラで、検知した物体を鮮明に撮像した静止画像を得ることができる。
静止画像送信部は、簡易画像処理部が物体を検知したときに、撮像視野制御部が撮像視野を制御した第２のカメラによって撮像された静止画像、および、このときの第２のカメラの撮像視野をサーバに送信する。
【手続補正２】
【補正対象書類名】明細書
【補正対象項目名】００１２
【補正方法】変更
【補正の内容】
【００１２】
サーバは、画像処理部で、端末から送信されてきた静止画像を撮像した第２のカメラの撮像視野を用いて、この静止画像を処理し、この静止画像に撮像されている物体の種類や大きさを属性として検知する。この画像処理部は、パターンマッチング等により、静止画像に撮像されている物体の種類を検知するとともに、第２のカメラの撮像視野（撮像倍率）を用いて、この静止画像に撮像されている物体の大きさを検知する。また、画像処理部は、検知した物体の種類に応じた認識処理等も行う。例えば、検知した物体が、不審者であれば、顔認識により、その不審者の性別、年齢等の属性の検知を行う。また、車両であれば、その車両のナンバープレートに表記されているナンバープレート番号を認識する文字認識を行う。さらに、サーバは、出力部において、画像処理部の処理結果に基づく出力を行う。例えば、警備室の警報を作動させて処理結果を待機している警備員等に通知したり、警備員等が所持している携帯端末に処理結果を電子メールで送信したりする。これにより、検知された不審者や不審物に対する対応が迅速に行える。
【手続補正３】
【補正対象書類名】明細書
【補正対象項目名】００１３
【補正方法】変更
【補正の内容】
【００１３】
このように、端末は、第１のカメラが撮像した撮像画像に物体が撮像されているかどうか（物体の有無）が検知できればよく、撮像されている物体の属性として種類や大きさまで検知できなくてもよいので、物体の検知にかかる画像処理の処理負荷を十分に小さくできる。また、端末は、物体を検知したときに、物体が撮像されている撮像画像（第２のカメラで撮像した静止画像）をサーバに送信し、物体を検知していないときに、撮像画像（第２のカメラで撮像した静止画像）をサーバに送信しない。しかも、端末は、サーバに対して動画像を送信するのではなく、静止画像を送信する。このため、端末は、サーバに送信する画像のデータ量も抑えられるので、サーバとの通信にかかる負荷が抑えられる。また、端末と、サーバとを通信可能に接続するネットワークのトラフィック量も抑えられる。
【手続補正４】
【補正対象書類名】明細書
【補正対象項目名】００１５
【補正方法】変更
【補正の内容】
【００１５】
また、端末が備える上述の静止画像送信部にかかる構成を、簡易画像処理部が物体を検知した、第１のカメラによって撮像された動画像にかかるフレーム画像、および、簡易画像処理部が物体を検知したときに、撮像視野制御部が撮像視野を制御した第２のカメラによって撮像された静止画像をサーバに送信する構成に置き換えてもよい。
この場合、サーバが備える上述の画像処理部は、端末から送信されてきた第１のカメラによって撮像された動画像にかかるフレーム画像、および、第２のカメラによって撮像された静止画像を処理して撮像されている物体の種類や大きさを属性として検知する構成にすればよい。
【手続補正５】
【補正対象書類名】明細書
【補正対象項目名】００１６
【補正方法】変更
【補正の内容】
【００１６】
このように構成しても、上述の構成と同様の効果を奏する。
【手続補正６】
【補正対象書類名】特許請求の範囲
【補正対象項目名】全文
【補正方法】変更
【補正の内容】
【特許請求の範囲】
【請求項１】
通信可能に接続した端末と、サーバと、を備え、
前記端末は、
第１のカメラが撮像した監視対象エリアの動画像を入力する動画像入力部と、
前記第１のカメラの撮像倍率よりも大きい撮像倍率で、前記監視対象エリア内の一部を第２のカメラで撮像した静止画像を入力する静止画像入力部と、
前記動画像入力部に入力された動画像を処理し、撮像されている物体、および前記監視対象エリア内におけるこの物体の位置を検知する簡易画像処理部と、
前記簡易画像処理部が検知した物体の位置に基づいて、前記第２のカメラの撮像視野を制御する撮像視野制御部と、
前記簡易画像処理部が物体を検知したときに、前記撮像視野制御部が撮像視野を制御した前記第２のカメラによって撮像された静止画像、および、このときの第２のカメラの撮像視野を前記サーバに送信する静止画像送信部と、を有し、
前記サーバは、
前記端末から送信されてきた静止画像を撮像した前記第２のカメラの撮像視野を用いて、この静止画像を処理して撮像されている物体の種類や大きさを属性として検知する画像処理部と、
前記画像処理部の処理結果に基づく出力を行う出力部と、を有する、
分散画像処理システム。
【請求項２】
通信可能に接続した端末と、サーバと、を備え、
前記端末は、
第１のカメラが撮像した監視対象エリアの動画像を入力する動画像入力部と、
前記第１のカメラの撮像倍率よりも大きい撮像倍率で、前記監視対象エリア内の一部を第２のカメラで撮像した静止画像を入力する静止画像入力部と、
前記動画像入力部に入力された動画像を処理し、撮像されている物体、および前記監視対象エリア内におけるこの物体の位置を検知する簡易画像処理部と、
前記簡易画像処理部が検知した物体の位置に基づいて、前記第２のカメラの撮像視野を制御する撮像視野制御部と、
前記簡易画像処理部が物体を検知した、前記第１のカメラによって撮像された動画像にかかるフレーム画像、および、前記簡易画像処理部が物体を検知したときに、前記撮像視野制御部が撮像視野を制御した前記第２のカメラによって撮像された静止画像を前記サーバに送信する静止画像送信部と、を有し、
前記サーバは、
前記端末から送信されてきた前記第１のカメラによって撮像された動画像にかかるフレーム画像、および、前記第２のカメラによって撮像された静止画像を処理して撮像されている物体の種類や大きさを属性として検知する画像処理部と、
前記画像処理部の処理結果に基づく出力を行う出力部と、を有する、
分散画像処理システム。
【請求項３】
前記端末は、
前記簡易画像処理部が、撮像されている物体の検知とともに、検知した物体が移動体であるかどうかを検知し、
前記静止画像送信部が、静止画像とともに、検知した物体が移動体であるかどうかを前記サーバに送信する、
請求項１、または２に記載の分散画像処理システム。
【請求項４】
前記端末は、
前記簡易画像処理部が、撮像されている物体の検知を、前記動画像入力部に入力された動画像のフレーム画像と、前記監視対象エリアの背景画像と、の差分画像を生成して行う、
請求項１〜３のいずれかに記載の分散画像処理システム。
【請求項５】
前記サーバは、
前記画像処理部が、パターンマッチングにより、静止画像に撮像されている物体の種類を検知する、
請求項１〜４のいずれかに記載の分散画像処理システム。
【国際調査報告】
2012169232.tif 000009
2012169232.tif 000010
2012169232.tif 000011
2012169232.tif 000012